(57)【要約】      （修正有）【課題】従来のようなベルト（ストラップ）を用いることなく、ずり上がり防止の効果が高く安定した装着が可能なゲートル（脚絆）を提供する。【解決手段】足首に着用するゲートル１であって、足首の形状に合わせた筒状の本体と、本体の前部内側に靴甲側の部材と係止する前方係止部と、本体の後部に靴踵側を挟み込むように変形可能なＵ字状の後方係止部１３とを有する。前方係止部は、本体の前部下部に設けられた１又は複数のフック部で構成されている。【選択図】図４
0003194128.tif 000002
【実用新案登録請求の範囲】
【請求項１】
足首に着用するゲートルであって、
足首の形状に合わせた筒状の本体と、
前記本体の前部内側に靴甲側の部材と係止する前方係止部と、
前記本体の後部に靴踵側を挟み込むように変形可能なＵ字状の後方係止部と、を有するゲートル。
【請求項２】
前記前方係止部が、前記本体の前部下部に設けられた１又は複数のフック部で構成されている、請求項１に記載のゲートル。
【請求項３】
前記靴甲側の部材が、レースにおける靴紐である、請求項１または２に記載のゲートル。
【請求項４】
前記後方係止部が、樹脂部材である、請求項１〜３のいずれか1項に記載のゲートル。
【請求項５】
前記後方係止部が、形状記憶合金製である、請求項１〜３のいずれか1項に記載のゲートル。
【請求項６】
前記後方係止部が、板バネで構成されている、請求項１〜３のいずれか1項に記載のゲートル。
【請求項７】
前記後方係止部が、先端が内側に湾曲している、請求項１〜６のいずれか1項に記載のゲートル。
【請求項８】
前記後方係止部が、本体の後方下部に設けられている、請求項１〜７のいずれか1項に記載のゲートル。
【請求項９】
前記本体の後部の内側に、弾性部材が設けられている、請求項１〜８のいずれか1項に記載のゲートル。
【請求項１０】
前記後方係止部が、本体の後方下部に内装され、前記後方係止部の位置に対応して弾性部材が本体内側に設けられている、請求項1〜７のいずれか1項に記載のゲートル。
【請求項１１】
前記後方係止部が、断面矩形の板状であって、板主面と靴表面が対向するように構成される、請求項１〜１０のいずれか１項に記載のゲートル。
【考案の詳細な説明】
【技術分野】
【０００１】
本考案は、フィットするタイプのゲートル(脚絆)に関し、例えば、ハイキング、登山などに使用されるゲートルである。
【背景技術】
【０００２】
従来のゲートル(脚絆)は、着用時のずり上がりを防止するために、靴の土踏まずを跨いで通すベルト(ストラップ)が設けられている（例えば、特許文献１参照）。また、マジックテープ（登録商標）やベルクロなどの面ファスナーを靴に予め接着しておくことで脱着可能で、かつ、上がりを防止するタイプのゲートルもある。
【先行技術文献】
【特許文献】
【０００３】
【特許文献１】実用新案登録第３０８２６２７号公報
【考案の概要】
【考案が解決しようとする課題】
【０００４】
しかしながら、上記のベルト(ストラップ)は、常に踏まれるため、摩耗、切れ等の課題があった。また、マジックテープ(登録商標)やベルクロなどの面ファスナーを靴に予め接着しておくタイプのゲートルは、着用していない時にも靴に面ファスナーが残る課題があった。
【０００５】
本考案は、上記問題に鑑みてなされたものであって、その目的は、従来のようなベルト（ストラップ）を用いることなく、ずり上がり防止の効果が高く安定した装着が可能なゲートル（脚絆）を提供することにある。
【課題を解決するための手段】
【０００６】
本発明は、足首に着用するゲートルであって、
足首の形状に合わせた筒状の本体と、
前記本体の前部内側に靴甲側の部材と係止する前方係止部と、
前記本体の後部に靴踵側を挟み込むように変形可能なＵ字状の後方係止部と、を有する。
【０００７】
この構成によれば、Ｕ字状の後方係止部が、靴の踵側を挟み込んで固定するように機能するため、ゲートルの後方のずり上がりを効果的に防止でき、さらに前方係止部によってゲートル前方のずり上がりを効果的に防止することができる。すなわち、前方係止部および後方係止部の２つの機能によって、ゲートルのずり上がりを効果的に防止できる。
【０００８】
上記発明の一実施形態として、前記前方係止部が、前記本体の前部下部に設けられた１又は複数のフック部で構成されている。フック部は、例えば、金属製、樹脂製で構成できる。面ファスナーとは異なり、靴側に面ファスナーの雌部材を設ける必要がない。
【０００９】
上記発明の一実施形態として、前記靴甲側の部材が、レースにおける靴紐である。前方係止部（あるいはフック部）がこの靴紐に引っ掛ける構造が好ましい。
【００１０】
上記発明の一実施形態として、前記後方係止部が、樹脂部材である。樹脂部材のため、低コストで構成できる。
【００１１】
上記発明の一実施形態として、前記後方係止部が、形状記憶合金製である。形状記憶合金製のため、温度環境に応じて形状を変形させることができ、挟み込みの強度を調整することが可能である。
【００１２】
上記発明の一実施形態として、前記後方係止部が、板バネで構成されている。板バネで構成されることで、締め付け強度を高くできる。
【００１３】
上記発明の一実施形態として、前記後方係止部が、先端が内側に湾曲している。Ｕ字状において、２つの先端が内側に湾曲していることで、靴の踵部を締め付ける力をより高くできる。
【００１４】
上記発明の一実施形態として、前記後方係止部が、本体の後方下部に設けられていることが好ましい。本体の後方の下部に設けられていることで、ゲートルの後方下部のずり上がりを効果的に防止できる。
【００１５】
上記発明の一実施形態として、前記本体の後部の内側（裏側）に、弾性部材が設けられていることが好ましい。この弾性部材(例えば、ゴム紐)によって、靴表面との摩擦力が向上することで、ずり上がり防止の効果がより高められる。
【００１６】
上記発明の一実施形態として、前記後方係止部が、本体の後方下部に内装され、前記後方係止部の位置に対応して弾性部材が本体内側に設けられていることが好ましい。この構成によって、弾性部材（例えばゴム紐）が後方係止部の締め付け力を補助する作用をより高くできる。
【００１７】
上記発明の一実施形態として、前記後方係止部が、断面矩形の板状であって、板主面と靴表面が対向するように構成されることが好ましい。板主面（板側面よりも面積の大きい方の面である）が靴表面に対向するため、靴表面の形状に沿った挟み込みが可能となり好ましい。
【図面の簡単な説明】
【００１８】
【図１Ａ】ゲートルの前面の外観図である。
【図１Ｂ】ゲートルの側面の外観図である。
【図１Ｃ】ゲートルの後面の外観図である。
【図２Ａ】フック部を説明するための図である。
【図２Ｂ】後方係止部を説明するための図である。
【図３】後方係止部を説明するための図である。
【図４】ゲートルを着用した状態を示す図である。
【考案を実施するための形態】
【００１９】
（実施形態１）
本実施形態１のゲートル１を図面を参照しながら説明する。なお、本考案は、このゲートルに限定されない。
【００２０】
図１Ａはゲートル１の前面の外観図であり、図１Ｂはゲートル１の側面の外観図であり、図１Ｃはゲートル１の後面の外観図を示す。図２Ａはフック部(前方係止部)を示し、図２Ｂおよび図３は後方係止部を示す。
【００２１】
ゲートル１の本体１０は、足首の形状に合わせた筒状である。本体を構成する材料は、特に制限されないが、生地、樹脂、ゴム、金属、紙、不織布など中から単独または２つ以上の組み合わせで構成できる。
【００２２】
２つのフック部１１ａ、１１ｂ（前方係止部）は、ゲートル１の本体１０の前部内側（裏面）に形成され、靴甲側の部材と係止する（図２Ａ参照）。フック部１１ａ、１１ｂは、本体１０の前部下部に設けられ、靴のレースの靴紐に引っ掛ける構造である。フック部１１ａ、１１ｂの取付強度（固定強度）を補助するために補強生地１１１が本体下部に縫製されている。本実施形態において、フック部は金属製のフックであり、ハト目構造で取り付けしてある。また、別実施形態として、樹脂製のフック部を前部内側（裏面）に補強生地１１１を間に挟んで縫製によって取り付ける構成でもよい。
【００２３】
後方係止部１３は、本体１０の後方下部の内部に設けられている。本実施形態では、後方係止部１３は、本体下部の袋縫いされた部分に挿入されている（図２Ｂ参照）。後方係止部１３が、靴踵側を挟み込むように変形可能なＵ字状の構成である。後方係止部１３は、形状記憶合金製である。後方係止部１３が、図３に示すように、先端が内側に湾曲している。後方係止部１３が、断面矩形の板状であって、板主面と靴表面が対向するように構成される。後方係止部１３の位置に対応してゴム紐１４(弾性部材)が本体内側(裏側)に設けられている。ゴム紐１４は、本体下部の内側に縫製されることで取り付けられる。
【００２４】
締付用紐１８ａ、１８ｂは、本体１０の上部の袋縫いされた箇所の内部に通され、次いで締付用紐１８ａ、１８ｂと摩擦抵抗するゴム止め部材１９に通して、固定端部２０に固定される。締付用紐１８ａ、１８ｂをゴム止め部材１９で閉じることで、足首を締め付け、ずり下がりを防止する。ずり下がりを防止する手段は、これに限定されず、他の公知の手段を採用できる。
【００２５】
図４は、ゲートル１を足首に着用した状態を示す。フック部１１ａ、１１ｂが靴のレースの靴紐に引っ掛けられる（不図示）。破線で示した後方係止部１３は、靴の踵部を締め付け、かつゴム紐１４が後方係止部１３の締め付け力を補助し、ゲートル１のずり上がりを従来技術よりも効果的に防止することができる。
【００２６】
（別実施形態）
後方係止部は、形状記憶合金製に限定されず、例えば、樹脂部材、板部材などで構成できる。フック部は２つに限定されず、１つでもよく、３つ以上でもよい。
【符号の説明】
【００２７】
１          ゲートル
１０        本体
１１ａ、１１ｂ    フック部
１３        後方係止部
１４        ゴム紐
【図１Ａ】
0003194128.tif 000003
【図１Ｂ】
0003194128.tif 000004
【図１Ｃ】
0003194128.tif 000005
【図２Ａ】
0003194128.tif 000006
【図２Ｂ】
0003194128.tif 000007
【図３】
0003194128.tif 000008
【図４】
0003194128.tif 000009